(57)【要約】【課題】到来する同期シンボル列を漏らさず検出してフレームタイミング検出を行う無線フレームタイミング検出装置を提供する。【解決手段】フレームごとに既知の同期シンボルが挿入された無線信号を受信する無線受信装置に備えられる無線フレームタイミング検出装置において、既知の同期シンボルと受信シンボルとの相関値と、閾値との比較結果に基づいて、フレームタイミング候補を検出する検出手段と、フレームタイミング候補の検出頻度に応じて、前記閾値を調整する調整手段と、検出された前記フレームタイミング候補それぞれについて、当該候補に基づいて区切られる受信フレームの正誤を判定し、正しいとされた受信フレームを検出された無線フレームタイミングに即した正規フレームとして選択的に復調処理に供する評価手段とを備える。【選択図】      図１
2008236234.tif 000002
【特許請求の範囲】
【請求項１】
フレームごとに既知の同期シンボルが挿入された無線信号を受信する無線受信装置に備えられる無線フレームタイミング検出装置において、
前記既知の同期シンボルと受信シンボルとの相関値と、閾値との比較結果に基づいて、フレームタイミング候補を検出する検出手段と、
前記フレームタイミング候補の検出頻度に応じて、前記閾値を調整する調整手段と、
検出された前記フレームタイミング候補それぞれについて、当該候補に基づいて区切られる受信フレームの正誤を判定し、正しいとされた受信フレームを検出された無線フレームタイミングに即した正規フレームとして選択的に復調処理に供する評価手段と
を備えたことを特徴とする無線フレームタイミング検出装置。
【請求項２】
請求項１に記載の無線フレームタイミング検出装置において、
前記調整手段は、
入力される信号を１フレーム分蓄積してから前記評価手段に送出する複数のバッファと、
前記検出されたフレームタイミング候補それぞれに対応する受信フレームを前記複数のバッファに振り分けて保持させる振分手段と、
前記複数のバッファの全てに受信フレームが保持されていることを検出したときに、予め決定された複数の検出基準のうち、現在の閾値に対応する検出基準よりも厳しい検出基準に対応する閾値を選択して前記検出手段に設定し、所定数以上のバッファが空き状態であることを検出したときに、前記現在の閾値に対応する検出基準よりも緩やかな検出基準に対応する前記閾値を選択して前記検出手段に設定する閾値制御手段とを備えた
ことを特徴とする無線フレームタイミング検出装置。
【請求項３】
請求項２に記載の無線フレームタイミング検出装置において、
前記閾値制御手段は、
前記複数のバッファのうち、前記振分手段によって受信フレームが振り分けられる順番が最も遅い少なくとも一つのバッファを除くバッファについて受信フレームが保持されているか否かを調べ、この調査結果に基づいて閾値を選択する
ことを特徴とする無線フレームタイミング検出装置。
【発明の詳細な説明】
【技術分野】
【０００１】
本発明は、移動通信システムの基地局装置などに適用される無線フレームタイミング検出装置に関し、特に、無線フレームに挿入されたユニークワードなどの既知信号の検出に基づくフレームタイミング検出技術に関する。
【背景技術】
【０００２】
直交変調を用いる無線信号を受信する無線受信装置では、例えば、図４に示すように、中間周波数信号(ＩＦ信号)のＡ／Ｄ変換器４０１によるサンプリング結果が、ＤＳＰ上に形成された検波器４０２およびフィルタ４０３を介して信号処理部４０４に入力され、この信号処理部４０４において、検波器４０２で検出されたシンボルタイミングに従ってデシメーション処理が行われ、その結果が、相関器４０５による既知ワードとの相関処理に供される。
【０００３】
図４に示した相関器４０５では、Ｍ個の遅延器４１１１〜４１１Ｍにより、信号処理部４０４で得られた標本値が順次に１シンボルずつ遅延させられ、これらの遅延器４１１１〜４１１Ｍの出力が相関演算部４１２による相関演算に供されている。この相関演算部４１２では、例えば、上述したＭ個の遅延器４１１１〜４１１Ｍで得られた信号を逆変換すると、各遅延器４１１に対応する逆変調信号と当該遅延器４１１に隣接する遅延器４１１に対応する逆変調信号との差分が求められ、これらの差分が総和演算部４１３による加算処理に供されている。図４に示した相関器４０５では、既知ワードとの相関関係がある場合には、相関演算部４１２において各遅延器４１１１〜４１１Ｍに対応して得られる出力が「０」に近い値をとることから、総和演算部４１３によって得られる加算結果が所定の閾値よりも小さくなるタイミングを閾値判定部４０６に検出することによって、フレームタイミングの検出が行われている。
【０００４】
従来の無線受信装置では、上述したようにして検出されたフレームタイミングに基づいてフレーム同期が確立され、以降は、この確立されたフレーム同期に基づいて、受信信号の復調処理が行われる。
また、フレームタイミングの検出精度を向上するための従来技術としては、上述したようにしてフレーム同期が一旦確立された後に、受信信号を復調する過程で前方誤り訂正方式(ＦＥＣ：Forward Error Correction)などの誤り訂正技術によって正常なデータが復元可能であるか否かを判定することで受信フレームの正誤判定を行い、誤りと判定された場合に、フレームタイミングを検出するための閾値を変更する技術が提案されている(特許文献１参照)。
【０００５】
同様の技術として、所定の信号区間内の信号点を順次に同期位置と仮定して信号の受信処理を行い、この受信処理によってデータが正常に復調できた場合には、仮定された同期位置を真の同期位置として推定し、以降の受信処理に供することにより、受信信号が微弱である場合のように、図４に示した相関器４０５において得られる相関値が同期位置付近でなだらかに変化する場合にも同期位置の検出精度の向上を図る技術も提案されている(特許文献２参照)。
【特許文献１】特開２００６−３１９８１７号公報(請求項７、図９)
【特許文献２】特開２００４−３２６４２号公報(請求項１、図１)
【発明の開示】
【発明が解決しようとする課題】
【０００６】
従来のフレームタイミング検出技術では、高い精度でフレームタイミングを検出しようとすれば、例えば、非常に高い相関値が得られた場合に同期検出と判定するような厳しい検出基準に対応する閾値を適用することになり、移動端末が無線エリアのエッジ付近のような感度点近傍場所にある場合のように受信状態が悪い場合には、なかなかフレームタイミングを検出できなくなり、フレーム同期が確立されるまでの所要時間が長くなってしまう。逆に、同期検出についての制限を緩めれば、ノイズなどの影響による誤同期が多数発生してしまう。
【０００７】
このように、従来のフレームタイミング検出技術において、判定のための閾値を単純に制御するだけでは、移動端末が基地局のエリア内のどこにあるかによって大きく変動する受信信号の品質に対応することは難しかった。
また、従来の無線受信装置では、フレーム同期が確立されていることを前提として受信信号の復調処理が行われており、一旦同期を確立した後は、復調処理の過程で正常なデータが復元できないこと、即ち、誤同期であったことが判明しない限り、フレーム同期検出処理は行われない。
【０００８】
したがって、誤って検出されたフレームタイミングに従ってフレーム同期を確立させてしまった後に、正規のフレームタイミングを示す同期シンボル列が到来しても、この正規のフレームタイミングに基づくフレーム同期を確立することはできなかった。
本発明は、到来する同期シンボル列を漏らさず検出してフレームタイミング検出を行う無線フレームタイミング検出装置を提供することを目的とする。
【課題を解決するための手段】
【０００９】
本発明にかかわる第１の無線フレームタイミング検出装置は、検出手段と、調整手段と、評価手段とから構成される。
本発明にかかわる第１の無線フレームタイミング検出装置の原理は、以下の通りである。
フレームごとに既知の同期シンボルが挿入された無線信号を受信する無線受信装置に備えられる無線フレームタイミング検出装置において、検出手段は、既知の同期シンボルと受信シンボルとの相関値と、閾値との比較結果に基づいて、フレームタイミング候補を検出する。調整手段は、フレームタイミング候補の検出頻度に応じて、上述した閾値を調整する。評価手段は、検出されたフレームタイミング候補それぞれについて、当該候補に基づいて区切られる受信フレームの正誤を判定し、正しいとされた受信フレームを検出された無線フレームタイミングに即した正規フレームとして選択的に復調処理に供する。
【００１０】
このように構成された第１の無線フレームタイミング検出装置の動作は、下記の通りである。
同期シンボルとの相関値が閾値以上である受信シンボルが到来するごとに、検出手段によってフレームタイミング候補が検出され、これらのフレームタイミング候補それぞれで区切りが示される受信フレームについて、評価手段により、例えば、ＦＥＣ方式のエラー訂正を適用した受信フレームの正誤判定処理が行われる。
【００１１】
つまり、第１の無線フレームタイミング検出装置では、受信信号から同期シンボルとの相関値が閾値以上である受信シンボルが検出された後も、フレームタイミング候補の検出処理が続けられ、無線受信装置に到来する受信信号に含まれている同期シンボルとの相関値が閾値以上である受信シンボルが漏れなく検出される。そして、検出された同期タイミング候補の中で、評価手段による評価によって正しいと判定された受信フレームが、無線フレームタイミングに即した正規フレームとして選択的に採用される。つまり、次々に検出されるフレームタイミング候補の中から、評価手段による正誤判定によって、無線フレームタイミングの検出が行われる。
【００１２】
また、調整手段により、例えば、検出手段によって高い頻度でフレームタイミング候補が検出されるときに、同期シンボル列と高い相関を持つ受信シンボル列が検出されるように検出手段における閾値が調整され、逆に、フレームタイミング候補の検出頻度が低下したときに上述した閾値を緩める調整が行われる。これにより、最も制限の緩やかな閾値を検出手段に設定した状態でフレームタイミング候補の検出を開始させ、その後、上述したような調整により、適切な頻度でフレームタイミング候補が検出される状態を維持して、正規の同期シンボル列の検出を保証することができる。
【００１３】
本発明にかかわる第２の無線フレームタイミング検出装置は、上述した第１の無線フレームタイミング検出装置に備えられる調整手段に、複数のバッファと振分手段と閾値制御手段とを備えて構成される。
本発明にかかわる第２の無線フレームタイミング検出装置の原理は、以下の通りである。
【００１４】
上述した第１の無線フレームタイミング検出装置に備えられる調整手段において、複数のバッファは、入力される信号を１フレーム分蓄積してから評価手段に送出する。振分手段は、検出されたフレームタイミング候補それぞれに対応する受信フレームを複数のバッファに振り分けて保持させる。閾値制御手段は、複数のバッファの全てに受信フレームが保持されていることを検出したときに、予め決定された複数の検出基準のうち、現在の閾値に対応する検出基準よりも厳しい検出基準に対応する閾値を選択して検出手段に設定し、所定数以上のバッファが空き状態であることを検出したときに、現在の閾値に対応する検出基準よりも緩やかな検出基準に対応する閾値を選択して検出手段に設定する。
【００１５】
このように構成された第２の無線フレームタイミング検出装置の動作は、下記の通りである。
例えば、検出手段に比較的緩やかな検出基準に対応する閾値が設定されている場合には、検出手段によって次々に検出されるフレームタイミング候補それぞれに対応する受信フレームが、振分手段によって複数のバッファのいずれかに振り分けられて保持されていく。このようにして、全てのバッファに受信フレームが保持されたときに、閾値制御手段により、例えば、一段階厳しい検出基準に対応する閾値が選択されて検出手段に設定され、これに応じて、以降に検出されるフレームタイミングは、同期シンボルとの相関値がより高い受信シンボルに対応するものに制限される。この制限によって、所定数以上のバッファが空き状態となったときに、閾値制御手段により、逆に、一段階緩やかな検出基準に対応する閾値が選択されて検出手段に設定されると、再びより多くのフレームタイミング候補が検出され、評価手段の処理に供される。
【００１６】
このようにして、準備したバッファを有効に利用しつつ、このバッファの数の制限内でできるだけ多くのフレームタイミング候補を検出することにより、正規のフレーム区切りを示す同期シンボルを漏れなく検出することができる。
本発明にかかわる第３の無線フレームタイミング検出装置の原理は、以下の通りである。
【００１７】
上述した第２の無線フレームタイミング検出装置において、閾値制御手段は、複数のバッファのうち、振分手段によって受信フレームが振り分けられる順番が最も遅い少なくとも一つのバッファを除くバッファについて受信フレームが保持されているか否かを調べ、この調査結果に基づいて閾値を選択する。
このように構成された第３の無線フレームタイミング検出装置の動作は、下記の通りである。
【００１８】
例えば、ｎ個のバッファをｎ−１個のバッファからなるグループ１と１個のバッファとに分けた場合は、グループ１に属する全てのバッファに受信フレームが保持されたときに、閾値制御手段により、一段階厳しい検出基準に対応する閾値が選択され、この閾値に基づいて次のフレームタイミング候補が検出され、振分手段により、このフレームタイミングに対応する受信フレームがグループ１に属さない１つのバッファに保持される。
【００１９】
このように、閾値の変更後に検出されたフレームタイミング候補に対応する受信フレームを保持するバッファを別に用意しておくことにより、変更前に検出されたフレームタイミング候補に対応する受信フレームを保護しつつ、変更された閾値に基づいて検出された受信フレームを保持することができる。
【発明の効果】
【００２０】
本発明にかかわる無線フレームタイミング検出装置によれば、無線受信装置に到来する無線信号に挿入された同期シンボルを漏れなく検出し、フレームタイミングの検出を保証することができる。
これにより、特に、移動端末が無線エリアのエッジ付近などの感度点近傍場所にある場合のように、無線Ｃ／Ｎが悪い状態において、同期が確立されるまでの所要時間の短縮を図り、移動端末の移動通信システムへの接続性を向上することができるので、利用者に対するサービス性を向上することができる。
【発明を実施するための最良の形態】
【００２１】
以下、図面に基づいて、本発明の実施形態について詳細に説明する。
（第１の実施形態）
図１に、本発明にかかわる無線フレームタイミング検出装置の第１の実施形態を示す。
なお、図１に示す構成要素のうち、図４に示した各部と同等のものについては、図４に示した符号を付して示し、その説明を省略する。
【００２２】
図１に示した無線フレームタイミング検出装置において、信号処理部４０４から相関器４０５に渡される受信シンボルは、信号分配部２１１によってｎ＋１分岐させられ、ｎ＋１個の信号取り込み回路２１２１〜２１２ｎ＋１を介してそれぞれ対応する１フレーム分のデータ長を持つバッファ２１３１〜２１３ｎ＋１に入力されて保持される。
これらのバッファ２１３１〜２１３ｎ＋１に保持された受信シンボル列は、添え字で示されたバッファ番号に従って順次に読み出されてエラー訂正処理部２１７によるエラー訂正処理に供され、ＦＥＣ処理などによって正常なデータが復元されたときに、エラー訂正後の受信フレームが上位装置に渡される。
【００２３】
また、図１に示したバッファ管理部２１４は、上述したバッファ２１３１〜２１３ｎ＋１のうち、バッファ番号１〜ｎまでのバッファ２１３１〜２１３ｎについてそれぞれ空き状態であるか否かをチェックし、空き状態であるバッファ２１３の数を閾値選択部２１５に通知するとともに、空き状態であるバッファ２１３のうち最も若い番号が付されたバッファ２１３を示すバッファ番号を閾値判定部２１６に通知する。
【００２４】
閾値選択部２１５は、バッファ管理部２１４から通知された空きバッファの数に基づいて、後述するようにして、複数段階の閾値レベルのいずれかを選択し、選択した閾値レベルに対応する閾値を閾値判定部２１６に渡して、相関器４０５の出力との比較処理に供する。この閾値選択部２１５では、例えば、既知ワードとの相関が高いと判定する際に適用する複数の閾値を、最も厳しい検出基準４から最も緩やかな検出基準１までの４段階に対応して保持している。
【００２５】
図１に示した閾値判定部２１６は、閾値選択部２１５から渡された閾値に基づいて相関器４０５の出力が既知ワードと受信シンボル列との相関が高いと判定した場合に、バッファ管理部２１４から通知されたバッファ番号に対応する信号取り込み回路２１２への制御信号として論理「１」を選択的に出力して対応するバッファ２１３への信号取り込みを許可し、他の信号取り込み回路２１２への制御信号は論理「０」の状態に維持する。
【００２６】
このようにして、既知ワードと受信シンボル列との相関が閾値で示される程度よりも高くなるタイミングがフレームタイミング候補として検出され、これらのフレームタイミング候補に対応する受信フレームが順次にバッファ２１３１〜２１３ｎ＋１に格納される。
以下、図１に示した無線フレームタイミング検出装置の動作について説明する。
図２に、閾値レベル制御動作を表す流れ図を示す。
【００２７】
無線フレームタイミング検出装置が同期検出動作を開始する際に、図１に示した閾値選択部２１５により、ステップ３０１の肯定判定に応じて初期設定が行われ、最も緩い検出基準、つまり検出基準１が選択されて(ステップ３０２)、この検出基準１に対応して閾値選択部２１５に保持された閾値Ｔｈ１が閾値判定部２１６に渡されて設定される(ステップ３０３)。
【００２８】
このようにして設定された閾値に基づいて受信シンボル列と既知ワードとの相関の高さを判定することにより、閾値判定部２１６により、多数のフレームタイミング候補が検出され、検出されたフレームタイミング候補に対応する受信フレームが、バッファ番号１のバッファ２１３１から順に各バッファ２１３に格納されていく。
このようにしてフレームタイミング検出処理が開始された後は、ステップ３０１の否定判定となり、バッファ管理部２１４により、バッファ番号１〜ｎのバッファ２１３１〜２１３ｎについてバッファの空塞状況の調査が行われ(ステップ３０４)、この調査結果が閾値選択部２１５に通知される。
【００２９】
例えば、上述したようにしてフレームタイミングの検出が開始され、検出されたフレームタイミング候補に対応する受信フレームが、バッファ番号１からバッファ番号ｉまでのバッファ２１３１〜２１３ｉに保持されている場合に、バッファ管理部２１４により、バッファ２１３の総数ｎから塞がっているバッファの数ｉを差し引いた値(ｎ−ｉ)が閾値選択部２１５に通知される。この場合は、空きバッファが残っているので、閾値選択部２１５は、ステップ３０５の否定判定としてステップ３０６に進み、通知された空きバッファの数を所定数ｋと比較する。
【００３０】
空きバッファの数が所定数ｋ(ｎ≧ｋ≧１)よりも大きい場合に(ステップ３０６の肯定判定)、閾値選択部２１５は、現在設定されている閾値に対応する検出基準が厳しい過ぎる可能性があると判断して、現在選択されている検出基準よりも１段階緩い検出基準を選択し(ステップ３０７)、選択した検出基準に対応する閾値を閾値判定部２１６に渡して設定する(ステップ３０３)。
【００３１】
一方、空きバッファの数が所定数ｋ未満である場合は(ステップ３０６の否定判定)、閾値選択部２１５により、現在設定されている閾値に対応する検出基準が適当であると判断され、閾値判定部２１６に設定されている閾値の設定が維持される(ステップ３０３)。
また一方、バッファ管理部２１４からｎ個のバッファ２１３１〜２１３ｎ全てが塞がっている旨が通知された場合に(ステップ３０５の肯定判定)、閾値選択部２１５は、現在設定されている閾値に対応する検出基準が緩すぎる可能性があると判断して、現在選択されている検出基準よりも１段階厳しい検出基準を選択し(ステップ３０８)、選択した検出基準に対応する閾値を閾値判定部２１６に渡して設定する(ステップ３０３)。
【００３２】
例えば、上述した初期設定で設定された閾値Ｔｈ１に基づいて、最も緩い検出基準１で既知ワードとの相関が高いとされる受信シンボル列の検出が行われると、次々にフレームタイミング候補が検出され、これらのフレームタイミング候補に対応する受信フレームがバッファ番号１のバッファ２１３１から順次にバッファ２１３に書き込まれていく。そして、バッファ番号ｎのバッファ２１３ｎまでが受信フレームで埋まったときに、ステップ３０５の肯定判定となり、閾値選択部２１５により、１段階厳しい検出基準２に対応する閾値Ｔｈ２が新たな閾値として閾値判定部２１６に設定される。
【００３３】
このようにして新たに設定された閾値Ｔｈ２に基づいて、閾値判定部２１６によって検出されたフレームタイミング候補に対応する受信フレームは、バッファ番号ｎ＋１のバッファ２１３ｎ＋１に保持される。このように、閾値制御のために参照するｎ個のバッファ２１３に加えて、予備のバッファ２１３ｎ＋１を備えておくことにより、バッファ番号１のバッファ２１３１に保持された受信フレームが、エラー訂正処理部２１７によるフレーム正誤判定処理を受ける前に新たに検出された受信フレームによって書き換えられることを防いでいる。なお、複数の予備のバッファ２１３を設けることも可能である。
【００３４】
ここで、上述したようにして初期設定よりは厳しい検出基準に対応する閾値を設定することにより、閾値判定部２１６によってより確からしいフレームタイミング候補が検出されることになり、フレームタイミング候補が検出される頻度は低下する。一方、各バッファ２１３１〜２１３ｎ＋１に保持された受信フレームは、順次に読み出されてエラー訂正処理部２１７の処理に供されていくので、上述した予備のバッファ２１３ｎ＋１に受信フレームが保持されてから、次に、新たなフレームタイミング候補が検出される前に、バッファ番号１のバッファ２１３１に保持された受信フレームが読み出され、このバッファ２１３１が空き状態となって、新たな受信フレームの保持に供される。
【００３５】
ところで、上述したようにして厳しい検出基準に対応する閾値を適用したことにより、閾値判定部２１６によって既知ワードとの相関が高いとされる受信シンボル列が減少し、フレームタイミング候補の検出頻度が低くなると、受信フレームが保持されていないバッファ２１３の数が増大していく。そして、この空きバッファの数が所定数ｋ以上となったときに(ステップ３０６の肯定判定)、閾値選択部２１５により、１段階緩やかな検出基準に対応する閾値が閾値判定部２１６に設定され、閾値判定部２１６において既知ワードとの相関が高いとされる受信シンボル列に関する検出基準が緩められる。
【００３６】
上述した所定数ｋは、数値１からバッファ数ｎまでの範囲で決定することができ、この値によって、無線フレームタイミング検出装置の安定度を調整することができる。つまり、所定数ｋ＝１とすれば、ｎ個のバッファ２１３１〜２１３ｎの一つでも空き状態となると直ちに検出基準が緩められるので、閾値判定部２１６に設定される閾値は変動しやすい。一方、例えば、所定数ｋ＝ｎとすれば、ｎ個のバッファ２１３１〜２１３ｎ全てが空き状態となるまで適用中の検出基準が維持される。
【００３７】
このように、バッファ番号１〜ｎのｎ個のバッファ２１３１〜２１３ｎについての空塞状況調査の結果に基づいて、閾値選択部２１５が、上述したようにして閾値を制御することにより、準備できるバッファ数に制限のある状況で、可能な限り多数のフレームタイミング候補を検出し、対応する受信フレームの中からエラー訂正処理部２１７によってエラー訂正が可能な受信フレームを見つけ出し、検出した無線フレームタイミングに即した正規のフレームとして採用し、後段の処理に供することができる。
【００３８】
つまり、フレームタイミング候補の検出順にかかわらず、真の同期ワードに対応するフレームタイミングを検出して同期を確立し、正規の受信フレームを選択的に採用して、例えば上位装置の処理に供することができるので、無線Ｃ／Ｎが悪い状態での同期確立までの所要時間を短縮して、接続率の向上を図ることができる。
（第２の実施形態）
図３に、本発明にかかわる無線フレームタイミング検出装置の第２の実施形態を示す。
【００３９】
なお、図３に示す構成要素のうち、図１に示した各部と同等のものについては、図１に示した符号を付して示し、その説明を省略する。
図３に示した無線フレームタイミング検出装置は、図１に示したバッファ２１３１〜２１３ｎに加えて、バッファ番号ｎ＋１〜ｎ＋ｍに対応するｍ個のバッファ２１３ｎ＋１〜２１３ｎ＋ｍを備えて構成される。
【００４０】
また、図３において、信号取り込み回路２１２によって取り込まれた受信シンボル列は、スイッチ２１８を介してこれらのバッファ２１３ｎ＋１〜２１３ｎ＋ｍのいずれかに入力されて保持される。
図３に示したバッファ管理部２１４は、バッファ番号１〜ｎのバッファ２１３１〜２１３ｎとバッファ番号ｎ＋１〜ｎ＋ｍに対応するｍ個のバッファ２１３ｎ＋１〜２１３ｎ＋ｍとについて、それぞれ空塞状態を管理しており、それぞれのグループ内の空きバッファ数を閾値選択部２１５に通知するとともに、各グループで空き状態となっている最も若い番号のバッファ２１３を示すバッファ番号をスイッチ制御部２１９に通知し、このスイッチ制御部２１９による上述したスイッチ２１８の制御処理に供する。
【００４１】
また、図３に示した閾値選択部２１５は、バッファ管理部２１４から各グループにバッファ２１３について通知される空きバッファ数に基づいて、比較的厳しい検出基準と比較的緩やかな検出基準とにそれぞれ対応する２つの閾値Ｔｈａ、Ｔｈｂのいずれかを選択し、閾値判定部２１６に設定する。
図３に示した無線フレームタイミング検出装置では、閾値選択部２１５によって選択される２つの閾値Ｔｈａ，Ｔｈｂと上述した２つのバッファのグループとが対応しており、閾値の切り替えに応じて、検出されたフレームタイミング候補に対応する受信フレームが保持されるバッファ２１３のグループが切り替えられる。
【００４２】
このように、閾値対応に受信フレームを保持するバッファを設けることにより、切り替え後の閾値に基づいて検出されたフレームタイミング候補に対応する受信フレームによって、既に検出されている受信フレームが上書きされることを確実に阻止することができる。
もちろん、３以上の閾値に対応して、３以上のグループのバッファを設けて無線フレームタイミング検出装置を構成することも可能である。
【００４３】
また、図３に示したように、信号取り込み回路２１２と複数のバッファ２１３とをスイッチ２１８を介して接続し、スイッチ制御部２１９によってこのスイッチ２１８を制御する構成を採用することにより、無線フレームタイミング検出装置を構成するハードウェア量を削減することができる。
なお、図３に示した構成では、スイッチ制御部２１９により、閾値選択部２１５によって選択された閾値で示されるバッファのグループについて、バッファ管理部２１４から通知されたバッファ番号で示されるバッファ２１３と信号取り込み回路２１２とを接続するように、スイッチ２１８が制御される。
【００４４】
もちろん、このようなスイッチ２１８とスイッチ制御部２１９とを用いた構成を、図１に示した無線フレームタイミング検出装置に適用することも可能である。
【産業上の利用可能性】
【００４５】
以上に説明したように、本発明にかかわる無線フレームタイミング検出装置によれば、無線Ｃ／Ｎが悪い状態での同期確立までの所要時間を短縮して、接続率の向上を図ることができる。これにより、移動通信システムの無線エリアエッジ付近などの感度点近傍場所にいる利用者についても接続率の向上を図ることができるので、移動通信システムなど無線信号によるデータ伝送を行うための技術分野において極めて有用である。
【図面の簡単な説明】
【００４６】
【図１】本発明にかかわる無線フレームタイミング検出装置の第１の実施形態を示す図である。
【図２】閾値制御動作を表す流れ図である。
【図３】本発明にかかわる無線フレームタイミング検出装置の第２の実施形態を示す図である。
【図４】従来の無線フレームタイミング検出装置の構成例を示す図である。
【符号の説明】
【００４７】
２１１  信号分配部
２１２１〜２１２ｎ  信号取り込み回路
２１３１〜２１３ｎ＋ｍ  バッファ
２１４  バッファ管理部
２１５  閾値選択部
２１６，４０６  閾値判定部
２１７  エラー訂正処理部
２１８  スイッチ
２１９  スイッチ制御部
４０１  Ａ／Ｄ変換器
４０２  検波器
４０３  フィルタ
４０４  信号処理部
４０５  相関器
４１１１〜４１１Ｍ  遅延器
４１２  相関演算部
４１３  総和演算部
【図１】
2008236234.tif 000003
【図２】
2008236234.tif 000004
【図３】
2008236234.tif 000005
【図４】
2008236234.tif 000006